(57)【要約】【課題】  下り信号に対して挿入損失を生じることなく、上り流合雑音を除去する。【解決手段】  双方向共同受信システムを伝送される下り信号を通過させるハイパスフィルタ８と、上り信号を通過させるローパスフィルタ１０、１６とが、並列に接続されている。ローパスフィルタ１０、１６間にゲート１２が介在し、供給された制御信号に応じて上り信号を通過または減衰させる。制御信号をゲート１２にＣＰＵ１８が供給する。外部入力端子２０から制御信号を含む下り信号がＦＳＫ復調部２４に供給され、ここで下り信号中に含まれるゲート制御情報信号が復調され、ＣＰＵ１８に供給される。【選択図】        図１
2009049683.tif 000002
【特許請求の範囲】
【請求項１】
双方向共同受信システムを伝送される下り信号の伝送経路と、
前記下り信号の伝送経路と並列に接続され、前記双方向共同受信システムを伝送される上り信号の伝送経路と、
この上り信号の伝送経路中に介在し、供給された制御信号に応じて前記上り信号を通過または減衰させるゲート手段と、
前記制御信号を前記ゲート手段に供給する制御手段と、
少なくとも前記下り信号が供給される外部入力端子とを、
具備し、この制御手段は、前記外部入力端子から供給された前記下り信号に基づいて前記制御信号を生成するゲート装置。
【請求項２】
請求項１記載のゲート装置において、前記下り信号の伝送経路からの下り信号と、前記外部入力端子から供給された前記下り信号とのうち、選択されたものを前記制御信号に供給する選択手段を有するゲート装置。
【請求項３】
請求項１または２記載のゲート装置と、前記双方向共同受信システムにおける前記ゲート装置よりも上流または下流に配置された双方向増幅器とを、具備し、この双方向増幅器は、モニタ端子を有し、このモニタ端子が前記ゲート装置の前記外部入力端子に接続されている上り流合雑音除去装置。
【発明の詳細な説明】
【技術分野】
【０００１】
本発明は、双方向共同受信システムにおいて、上り流合雑音を除去する上り流合雑音除去装置及びこの装置に使用するゲート装置に関する。
【背景技術】
【０００２】
双方向共同受信システムでは、伝送経路がヘッドエンド側から幹線、分岐線と枝分かれし、分岐線がさらに枝分かれして、その各末端に端末装置が配置されている。その伝送経路のヘッドエンド側から、各端末装置に向けて下り信号が伝送され、また、各端末装置からヘッドエンド側に向けて上り信号が伝送される。これら上り信号は、枝分かれ線と分岐線との接続点で合流し、各分岐線と幹線との接続点で合流する。これら接続点の不整合や端末装置から発生するノイズ等により流合雑音が発生する。この流合雑音がヘッドエンド側まで伝送されることを阻止するために、ゲート装置が設けられている。このゲート装置の一例が特許文献１の図１に示されている。
【０００３】
【特許文献１】特開２００５−２０３４３号公報
【０００４】
このゲート装置の開閉は、ヘッドエンドからの下り信号に含まれる制御信号によって行われる。そのため、特許文献１には、開示されていないが、ゲート装置内において、下り信号を分岐器によって分岐し、分岐された下り信号から制御信号を抽出することが行われている。
【発明の開示】
【発明が解決しようとする課題】
【０００５】
しかし、上記のように分岐器を使用すると、挿入損失が生じ、ゲート装置から下流に伝送される下り信号が減衰する。このような損失は、共同受信システムの運用レベルに大きな影響を及ぼすので、望ましくない。
【０００６】
本発明は、下り信号の挿入損失を低減したゲート装置及びこのゲート装置を用いた合流雑音除去装置を提供することを目的とする。
【課題を解決するための手段】
【０００７】
本発明の一態様のゲート装置は、双方向共同受信システムを伝送される下り信号の伝送経路と、前記下り信号の伝送経路と並列に接続された上り信号の伝送経路とを、有している。この上り信号の伝送経路中にゲート手段が介在し、供給された制御信号に応じて前記上り信号を通過、減衰またはカットさせる。制御信号をゲート手段に制御手段が供給する。外部入力端子に少なくとも前記下り信号が供給される。この制御手段は、前記外部入力端子から供給された前記下り信号に基づいて前記制御信号を生成する。
【０００８】
このように構成されたゲート装置では、ゲート手段を制御するために必要な下り信号は、ゲート装置の外部から供給されている。従って、ゲート装置内に分岐器等を設ける必要が無く、ゲート装置内での損失が低減でき、下流側に伝送される下り信号のレベルの低下を少なくすることができる。
【０００９】
更に、前記下り信号の伝送経路からの下り信号と、前記外部入力端子から供給された前記下り信号とのうち、選択されたものを前記制御信号に供給する選択手段を設けることができる。外部から下り信号を入力可能な場合には、選択手段によって外部入力端子からの下り信号を入力するようにする。ブースタがゲート装置の近辺に設置されていない等の原因で、外部から下り信号を入力できない場合には、選択手段によってゲート装置の内部から下り信号を制御手段に供給する。このように構成することによって、このゲート装置が設置された状況に応じてゲート装置を制御することができる。
【００１０】
本発明の他の態様の上り流合雑音除去装置は、上述したいずれかのゲート装置と、このゲート装置よりも上流または下流の双方向共同受信システムに配置された双方向増幅器とを、具備している。この双方向増幅器は、モニタ端子を有し、このモニタ端子が前記ゲート装置の前記外部入力端子に接続されている。モニタ端子は、入力側のモニタ端子または出力側のモニタ端子いずれを使用することもできる。
【００１１】
一般に、このような上り流合雑音除去装置は、双方向共同受信システムを運用している際に、上り流合雑音の影響を受けているような場合に設置することが多い。実際に運用されている状態で、モニタ端子を利用して双方向増幅器をモニタしていることはない。従って、このモニタ端子に生じている下り信号をゲート装置の外部入力端子に供給することによって、挿入損失を下り信号に与えることなく、上り流合雑音の影響を除去することができる。
【発明の効果】
【００１２】
以上のように、本発明によれば、挿入損失による下り信号のレベル低下をほとんど生じることなく、上り流合雑音を除去することができる。
【発明を実施するための最良の形態】
【００１３】
本発明の第１の実施形態のゲート装置２は、図１に示すように端子４、６を有している。端子４には、共同受信システムの上流側のヘッドエンドから送信されている下り信号が供給されている。端子４と端子６との間に、下り信号経路が設けられ、この下り信号経路には、下り信号を通過させるように遮断周波数が選択されたハイパスフィルタ８が配置されている。端子６は、共同受信システムの下流側の各端末装置へ下り信号を伝送するための線路に接続されている。
【００１４】
この端子６には、各端末装置からの上り信号も供給されている。下り信号経路と並列に端子４、６間には、上り信号経路が形成されている。この上り信号経路には、端子６側から端子４側に向かって順にローパスフィルタ１０、ゲート手段、例えばゲート１２、混合手段、例えば混合器１４及びローパスフィルタ１６が配置されている。
【００１５】
ローパスフィルタ１０、１６は、上り信号を通過させるように遮断周波数が選択されたものである。なお、上り信号は、下り信号よりも低い周波数が使用されている。
【００１６】
ゲート１２は、それに供給された制御信号、例えばゲート制御信号に応じて、上り信号を減衰させずに通過させる状態と、例えば６ｄＢ減衰させる状態とのいずれかに切り換えることができるものである。なお、さらに上り信号をカットさせる状態を設けることもできる。
【００１７】
このゲートの制御を、制御手段、例えばＣＰＵ１８が行う。ＣＰＵ１８は、この制御を、ヘッドエンドが下り信号に含ませて送信しているゲート制御情報信号に基づいて行う。このゲート制御情報信号は、外部入力端子２０から供給される下り信号から、バンドパスフィルタ２２によって抽出される。このゲート制御情報信号は、例えばＦＳＫ変調されてヘッドエンドから送信されているので、復調手段、例えばＦＳＫ復調部２４によって復調され、ＣＰＵ１８に供給される。また、ＣＰＵ１８からヘッドエンド側に伝送する必要のある上り信号は、変調手段、例えばＰＳＫ変調部２６によってＰＳＫ変調され、ゲート１２を通過した下流からの上り信号と混合器１４において混合され、ローパスフィルタ１６、端子４を介してヘッドエンド側に伝送される。
【００１８】
このように、このゲート装置では、ゲート１２を制御するためのゲート制御情報信号を、外部入力端子２０から得ている。そのため、ゲート装置２内には、ゲート制御情報信号をバンドパスフィルタ２２に供給するために、下り信号を分岐する分岐器を端子６側に設ける必要がない。分岐器を設けていないので、端子６に供給される下り信号は分岐器の挿入損失を受けず、下流側で下り信号のレベルが低下することはない。
【００１９】
図２に示すように、外部入力端子２０には、ゲート装置２の下流側に設置される双方向増幅器２８の入力側または出力側のモニタ端子２８ａから下り信号が供給される。ゲート装置２は、双方向共同受信システムを運用している状態において、上り流合雑音が大きい場合に、双方向共同受信システムの所定位置に設置される。その場合、下流側に双方向増幅器２８のような双方向増幅器が配置されている確率は非常に高い。この双方向増幅器２８には、ゲート装置２から下り信号が供給されている。実際に双方向共同受信システムを運用している状態では、双方向増幅器のモニタ端子が不使用であることが多く、このモニタ端子を利用して、下り信号をゲート装置２に供給する。双方向増幅器２８内には、モニタ端子にモニタ出力を出力するために分岐器等が設けられており、双方向増幅器２８内では挿入損失が生じているが、その挿入損失を見越して、下り信号の共同受信システムの運用レベルに影響が無いように双方向増幅器２８の利得は調整されているので、モニタ端子から下り信号をゲート装置２に供給しても、運用レベルに影響は生じない。
【００２０】
なお、図２に示す３０は分配手段、例えば４分配器で、これらの分配端子にそれぞれ分岐線が接続されている。このようにゲート装置２と双方向増幅器２８とによって、流合雑音除去装置が構成されている。
【００２１】
本発明の第２の実施形態のゲート装置２ａを図３に示す。この実施形態のゲート装置２ａでは、下り信号経路及び上り信号経路の合流点と端子６との間に選択手段、例えば切換スイッチ３０が設けられている点が、第１の実施形態のゲート装置２と異なる。他の構成は、ゲート装置２と同様であるので、同等部分には同一符号を付して、その説明を省略する。
【００２２】
切換スイッチ３０は、接点３０ａを有し、この接点３０ａは、下り信号経路及び上り信号経路の合流点に接続されている。接点３０ａは、接点３０ｂ、３０ｃのいずれかに接触可能である。同様に切換スイッチ３０は接点３０ｄを有し、この接点３０ｄは端子６に接続されている。接点３０ｄは、接点３０ｅ、３０ｆのいずれかに接触可能である。しかも、接点３０ａが接点３０ｂに接触しているとき、接点３０ｄが接点３０ｅに接触し、接点３０ａが接点３０ｃに接触しているとき、接点３０ｄが接点３０ｆに接触するように、接触子３０ｇが構成されている。
【００２３】
接点３０ｂと３０ｅとが接続されている。また、接点３０ｃは１分岐器３２の入力側に接続され、接点３０ｆが１分岐器３２の出力側に接続されている。そして、１分岐器３２の分岐側が外部入力端子２０に接続されている。
【００２４】
このゲート装置２ａは、その設置位置の下流側に双方向増幅器が存在する場合には、図２に示したのと同様に、その双方向増幅器のモニタ端子を端子２０に接続する。そして、切換スイッチ３０を接点３０ａ、３０ｂが接続され、接点３０ｄ、３０ｅが接続されるように接触子３０ｇを切り換える。これによって、第１の実施形態のゲート装置２と同様に動作する。
【００２５】
一方、ゲート装置２ａの設置位置の下流側に双方向増幅器が存在しない場合もある。このような場合には、切換スイッチ３０を、接点３０ａと３０ｃとが接続され、接点３０ｄと３０ｆとが接続されるように接触子３０ｇを切り換える。これによって、上り経路と下り経路の合流点から下り信号は１分岐器３２に供給され、その出力側から端子６に供給され、下流側に伝送される。同時に、１分岐器３２の分岐側から分岐された下り信号はバンドパスフィルタ２２に供給され、ゲート装置２に関連して説明したのと同様にして、ゲート制御情報信号が下り信号から抽出され、ＦＳＫ復調部２４で復調され、ＣＰＵ１８に供給される。なお、端子６から供給された上り信号は、１分岐器３２の出力側から入力側を経てローパスフィルタ１０に供給される。なお、このゲート装置は、システム構築後、流合雑音が発生するポイントに後付けすることが多い。そのため、ブースタ近辺に設置したり、あるいはブースタより離れた場所に設置されることがある。
【００２６】
上記の２つの実施形態では、混合器１４を設けたが、場合によっては不要である。そのときには、ＰＳＫ変調部２６も不要である。上記の実施形態では、ゲート１２として無減衰と６ｄＢとに切り換えられるものを使用したが、例えばスイッチをゲートとして使用して、導通状態と非導通状態とに切り換えられるようにすることもできる。あるいは、ゲート１２は、無減衰、６ｄＢ減衰、遮断の３段階に切換えたり、無減衰、６ｄＢ減衰、３ｄＢ減衰の３段階に切換えることもできる。第２の実施形態では、ゲート装置の下流近辺に設けたブースタのモニタ端子から下り信号を供給したが、上流近辺に設けたブースタのモニタ端子から下り信号を供給してもよい。
【図面の簡単な説明】
【００２７】
【図１】本発明の第１の実施形態のゲート装置のブロック図である。
【図２】図１のゲート装置を用いて構成した上り流合雑音除去装置のブロック図である。
【図３】本発明の第２の実施形態のゲート装置のブロック図である。
【符号の説明】
【００２８】
２  ２ａ  ゲート装置
４、６  端子
１２  ゲート（ゲート手段）
１８  ＣＰＵ（制御手段）
【図１】
2009049683.tif 000003
【図２】
2009049683.tif 000004
【図３】
2009049683.tif 000005